(57)【要約】【課題】一つの装備でコンピュータ断層撮影(CT)及びパノラマ(Panorama)撮影を遂行すると共にセファロ(Cephalography)撮影を同時に遂行することができる歯科用複合撮影装置を提供する。【解決手段】本発明に係る歯科用複合撮影装置は、地面に安着するベースと、上記ベースの上側に設けられて被撮影者が撮影を待機する椅子部と、上記椅子部に隣接して上記ベースに設けられる柱と、上記柱の上部から被撮影者側に延ばされる支持部と、上記支持部の下部に回転可能に結合され、伸縮可能に設けられる伸縮部と、上記伸縮部の一側下部に設けられ、上記伸縮部の伸縮に伴って移動され、コンピュータ断層撮影、セファロ撮影、パノラマ撮影に伴って選択される放射線を放出する放射線放出部と、上記伸縮部の他側に上記放射線放出部に対向される方向に設けられ、上記放射線放出部でコンピュータ断層撮影、セファロ撮影、パノラマ撮影に伴って選択的に放出される上記放射線を各々検出する放射線検出部と、上記放射線検出部で検出される撮影情報を読み取る制御部と、を備える。これに伴い、コンピュータ断層撮影、パノラマ撮影、セファロ撮影を実施する場合、各々の撮影のための複数の装備が必要でないため、医者及び患者に一層便利さと経済的利益を与えることができる効果がある。【選択図】図１
2010503510.tif 000002
【特許請求の範囲】
【請求項１】
地面に安着するベースと、
上記ベースの上側に設けられて被撮影者が撮影を待機する椅子部と、
上記椅子部に隣接して上記ベースに設けられる柱と、
上記柱の上部から被撮影者側に延ばされる支持部と、
上記支持部の下部に回転可能に結合され、伸縮可能に設けられる伸縮部と、
上記伸縮部の一側下部に設けられ、上記伸縮部の伸縮に伴って移動され、コンピュータ断層撮影、セファロ撮影、パノラマ撮影に伴って選択される放射線を放出する放射線放出部と、
上記伸縮部の他側に上記放射線放出部に対向される方向に設けられ、上記放射線放出部でコンピュータ断層撮影、セファロ撮影、パノラマ撮影に伴って選択的に放出される上記放射線を各々検出する放射線検出部と、
上記放射線検出部で検出される撮影情報を読み取る制御部と、を備えることを特徴とする歯科用複合撮影装置。
【請求項２】
請求項１において、
上記支持部は、
上記支持部の外形を形成して、下面に上記伸縮部が連結されるための長孔が形成される支持部ハウジングと、
上記支持部ハウジングの内側に設けられて上記伸縮部を回転させ、上記伸縮部の回転中心を直線移動させる伸縮部駆動部と、を備えることを特徴とする歯科用複合撮影装置。
【請求項３】
請求項２において、
上記伸縮部駆動部は、
上記伸縮部の回転中心が結合されて上記伸縮部を回転させるための回転モータが設けられる移送ボディと、
上記移送ボディの一側に結合されて上記移送ボディの直線往復移動経路を案内するガイドと、
上記移送ボディの他側に結合されて上記ガイドに案内される移送ボディを直線往復移送させる移送部と、を備えることを特徴とする歯科用複合撮影装置。
【請求項４】
請求項３において、
上記伸縮部駆動部は、上記コンピュータ断層撮影時、上記移送ボディの直線往復移送は固定され、上記伸縮部のみを回転させ、上記伸縮部の下部に設けられる上記放射線放出部と上記放射線検出部が原形の軌跡を形成させることを特徴とする歯科用複合撮影装置。
【請求項５】
請求項３において、
上記伸縮部駆動部は、上記パノラマ撮影時、上記移送ボディが直線往復移送されると共に上記伸縮部が回転されながら上記伸縮部の下部に設けられる上記放射線放出部と上記放射線検出部が楕円形の軌跡を形成させることを特徴とする歯科用複合撮影装置。
【請求項６】
請求項３において、
上記伸縮部駆動部は、上記セファロ撮影時、上記移送ボディの直線往復移送が固定されると共に上記伸縮部が回転も固定されることを特徴とする歯科用複合撮影装置。
【請求項７】
請求項１において、
上記伸縮部は、
上記支持部により回転可能に結合され、その下部に上記放射線検出部が設けられる固定端と、
上記固定端に対してスライド移動可能に設けられ、その下部に上記放射線放出部が設けられる伸縮端と、
上記固定端の内側両面と、上記伸縮端の外側両面に設けられて上記伸縮端の伸縮経路を案内するガイドバーと、を備えることを特徴とする歯科用複合撮影装置。
【請求項８】
請求項１において、
上記放射線放出部は、
上記反射線を発生する放射線ソースと、
上記放射線ソースで発生される放射線を、コンピュータ断層撮影、セファロ撮影、パノラマ撮影に伴って選択的に放射線の断面積を変化させて放出する放射線シャッタと、を備えることを特徴とする歯科用複合撮影装置。
【請求項９】
請求項８において、
上記放射線シャッタは、
コンピュータ断層撮影時、コンピュータ断層撮影に必要な放射線を放出するコンピュータ断層撮影用スリットと、セファロ撮影時、セファロ撮影に必要な放射線を放出するセファロ撮影用スリットと、パノラマ撮影時、パノラマ撮影に必用な放射線を放出するパノラマ撮影用スリットが形成され、鉛(Pb)材質で形成されるシャッタ本体と、
上記シャッタ本体の両側にスライド移動可能に結合されて上記シャッタ本体を垂直方向にスライド移動させる一対の垂直ガイドと、を備えることを特徴とする歯科用複合撮影装置。
【請求項１０】
請求項１において、
上記放射線検出部は、
伸縮部の下部で延ばされるスライドバーと、
上記スライドバーにスライド移動可能に設けられる昇降体と、
上記スライドバーと上記昇降体間に設けられて上記昇降体をスライドバーに沿って垂直移送させる昇降部と、
上記放射線放出部に対向される上記昇降体の一面に回転可能に設けられる長方形のディテクタと、を備えることを特徴とする歯科用複合撮影装置。
【請求項１１】
請求項１０において、
上記昇降体の一面に設けられるブラケットと、
上記ブラケットに回動可能に設けられる上記ディテクタと、
上記ブラケットに設けられて上記ディテクタ回転させる回動モータと、を備えることを特徴とする歯科用複合撮影装置。
【請求項１２】
請求項１０において、
上記ディテクタは、上記コンピュータ断層撮影時、水平状態に位置して、上記伸縮部が回転されることによって上記放射線放出部で放出される放射線を検出することを特徴とする歯科用複合撮影装置。
【請求項１３】
請求項１０において、
上記ディテクタは、上記セファロ撮影時、上記放射線放出部で放出される放射線を上記スライドバーに沿って移送される上記昇降体のように垂直移送されながら、上記ディテクタの検出領域に該当する領域ほどを検出して、上記ディテクタの検出領域に該当する領域ほど垂直移動をして上記放射線を検出することを特徴とする歯科用複合撮影装置。
【請求項１４】
請求項１０において、
上記ディテクタは、上記パノラマ撮影時、垂直状態に回転されて位置して、上記伸縮部が回転されることによって上記放射線放出部で放出される放射線を検出することを特徴とする歯科用複合撮影装置。
【請求項１５】
請求項１０において、
上記ディテクタは、上記パノラマ撮影時、垂直状態に回転されて位置して、上記ディテクタの縦方向の線形ディテクティング領域を選択的に使用して、上記選択されたディテクティング領域で検出されるデータを処理してパノラマ映像を取得することを特徴とする歯科用複合撮影装置。
【発明の詳細な説明】
【技術分野】
【０００１】
本発明は、歯科用複合撮影装置に関し、より詳しくは、一つの装備でコンピュータ断層撮影(CT)及びパノラマ(Panorama)撮影を遂行すると共にセファロ(Cephalography)撮影を同時に遂行することができる歯科用複合撮影装置に関する。
【背景技術】
【０００２】
歯科では従来から治療や歯列矯正時に歯科用Ｘ線映像撮影装備を用いて歯牙及び歯槽骨の全体的な構造を撮影するパノラマ映像(panoramic x-ray image)、患者の頭部及び顎骨部位の前方から後方、後方から前方、左側及び右側で撮影するセファロ映像(cephalogramまたはcephalometric image)、患者の口腔内にＸ線ビームを受光する小さいセンサ(イントラオーラルセンサ、intraoral sensor)を挿入して、幅の狭いＸ線ビームを口腔外で照射して撮影する方法などを活用してきている。
【０００３】
そのうち、パノラマ映像は、歯牙及び歯槽骨の全域を平面的に観察することはできるが、歯牙が前後方に微少に傾いたり歯列一部分の不正咬合を判別できない場合もあり、セファロ映像は上述したパノラマ映像の短所を補完することはできるが、歯牙及び歯槽骨の全域を一度に把握できない短所がある。
【０００４】
従って、パノラマ映像とセファロ映像は、上記のような相補的な性格により同時に活用される場合が多いため、パノラマ映像撮影装置にセファロ用ディテクタを装着して、パノラマ映像撮影に使われるＸ線照射装置でセファロ映像も撮影することができる歯科用Ｘ線映像撮影装置の使用が増加している趨勢である。
【０００５】
一方、上述したようなパノラマ映像とセファロ映像は、２次元投影データを用いるものである。従って、単純２次元投影映像のみを見るため、映像重複現象のため、歯科疾患に対する診断に難しさがあって、近には３次元コンピュータ断層撮影装置が開発普及されている。
【０００６】
歯科用コンピュータ断層撮影は、撮影しようとする物体周囲の数十〜数百個の投影データをコンピュータを用いて数学的に再構成して物体内部の断層映像を得る技法である。
【発明の概要】
【発明が解決しようとする課題】
【０００７】
従来技術にともなう歯科用コンピュータ断層撮影装置及びパノラマ撮影装置は各々の機能のみのための専用機器として使われている。
【０００８】
即ち、被撮影者が断層映像やパノラマ映像を撮影した後にセファロ撮影をする場合には被撮影者がセファロ映像を得ることができる位置に移動したり別途の装置を用いて既存の撮影装置に付着して使用した。
【０００９】
従って、撮影者及び被撮影者は、断層映像やパノラマ撮影と、セファロ撮影のために各々の撮影装置に移動したり新しい装置を付着しなけらばならない不便な問題点を内包している。
【課題を解決するための手段】
【００１０】
本発明は、上記のような問題点を解決するために案出されたものであって、本発明の目的は、撮影者及び被撮影者の位置移動無しに、断層撮影、パノラマ撮影及びセファロ撮影を遂行することができるようにした歯科用複合撮影装置を提供することである。
【発明の効果】
【００１１】
本発明に係る歯科用複合撮影装置によると、コンピュータ断層撮影、パノラマ撮影、セファロ撮影を実施する場合、各々の撮影のための複数の装備が必要でないため、医者及び患者に一層便利さと経済的利益を与えることができる効果がある。
【図面の簡単な説明】
【００１２】
【図１】本発明に係る歯科用複合撮影装置を示した斜視図である。
【図２】本発明に係る歯科用複合撮影装置の支持部を示した斜視図である。
【図３】本発明に係る歯科用複合撮影装置の伸縮部を示した斜視図である。
【図４】本発明に係る歯科用複合撮影装置で放射線発生部を示した斜視図である。
【図５】本発明に係る歯科用複合撮影装置で検出部を示した斜視図である。
【図６】ないし
【図１０】本発明に係る歯科用複合撮影装置のコンピュータ断層撮影時の状態を示した作動状態図である。
【図１１】ないし
【図１４】本発明に係る歯科用複合撮影装置のセファロ撮影時の状態を示した作動状態図である。
【図１５】ないし
【図１９】本発明に係る歯科用複合撮影装置のパノラマ撮影時の状態を示した作動状態図である。
【発明を実施するための形態】
【００１３】
上記の目的を達成するための本発明の一実施例にともなう歯科用複合撮影装置は、地面に安着するベースと、上記ベースの上側に設けられて被撮影者が撮影を待機する椅子部と、上記椅子部に隣接して上記ベースに設けられる柱と、上記柱の上部から被撮影者側に延ばされる支持部と、上記支持部の下部に回転可能に結合され、伸縮可能に設けられる伸縮部と、上記伸縮部の一側下部に設けられ、上記伸縮部の伸縮に伴って移動され、コンピュータ断層撮影、セファロ撮影、パノラマ撮影に伴って選択される放射線を放出する放射線放出部と、上記伸縮部の他側に上記放射線放出部に対向される方向に設けられ、上記放射線放出部で、コンピュータ断層撮影、セファロ撮影、パノラマ撮影に伴って選択的に放出される上記放射線を各々検出する放射線検出部と、上記放射線検出部で検出される撮影情報を読み取る制御部と、を備える。
【００１４】
上記支持部は、上記支持部の外形を形成して、下面に上記伸縮部が連結されるための長孔が形成される支持部ハウジングと、上記支持部ハウジングの内側に設けられて上記伸縮部を回転させ、上記伸縮部の回転中心を直線移動させる伸縮部駆動部と、を備える。
【００１５】
上記伸縮部駆動部は、上記伸縮部の回転中心が結合されて上記伸縮部を回転させるための回転モータが設けられる移送ボディと、上記移送ボディの一側に結合されて上記移送ボディの直線往復移動経路を案内するガイドと、上記移送ボディの他側に結合されて上記ガイドに案内される移送ボディを直線往復移送させる移送部と、を備える。
【００１６】
上記伸縮部駆動部は、上記コンピュータ断層撮影時、上記移送ボディの直線往復移送は固定され、上記伸縮部のみを回転させ、上記伸縮部の下部に設けられる上記放射線放出部と上記放射線検出部が原形の軌跡を形成させる。
【００１７】
上記伸縮部駆動部は、上記パノラマ撮影時、上記移送ボディが直線往復移送されると共に上記伸縮部が回転されながら上記伸縮部の下部に設けられる上記放射線放出部と上記放射線検出部が楕円形の軌跡を形成させる。
【００１８】
上記伸縮部駆動部は、上記セファロ撮影時、上記移送ボディの直線往復移送が固定されると共に上記伸縮部が回転も固定される。
【００１９】
上記伸縮部は、上記支持部により回転可能に結合され、その下部に上記放射線検出部が設けられる固定端と、上記固定端に対してスライド移動可能に設けられ、その下部に上記放射線放出部が設けられる伸縮端と、上記固定端の内側両面と、上記伸縮端の外側両面に設けられて上記伸縮端の伸縮経路を案内するガイドバーと、を備える。
【００２０】
上記放射線放出部は、上記放射線を発生する放射線ソースと、上記放射線ソースで発生される放射線をコンピュータ断層撮影、セファロ撮影、パノラマ撮影に伴って選択的に放射線の断面積を変化させて放出する放射線シャッタと、を備える。
【００２１】
上記放射線シャッタは、コンピュータ断層撮影時、コンピュータ断層撮影に必要な放射線を放出するコンピュータ断層撮影用スリットと、セファロ撮影時、セファロ撮影に必要な放射線を放出するセファロ撮影用スリットと、パノラマ撮影時、パノラマ撮影に必用な放射線を放出するパノラマ撮影用スリットが形成され、鉛(Pb)材質で形成されるシャッタ本体と、上記シャッタ本体の両側にスライド移動可能に結合されて上記シャッタ本体を垂直方向にスライド移動させる一対の垂直ガイドと、を備える。
【００２２】
上記放射線検出部は、伸縮部の下部で延ばされるスライドバーと、上記スライドバーにスライド移動可能に設けられる昇降体と、上記スライドバーと上記昇降体間に設けられて上記昇降体をスライドバーに沿って垂直移送させる昇降部と、上記放射線放出部に対向される上記昇降体の一面に回転可能に設けられる長方形のディテクタと、を備える。
【００２３】
上記昇降体の一面に設けられるブラケットと、上記ブラケットに回動可能に設けられる上記ディテクタと、上記ブラケットに設けられて上記ディテクタを回転させる回動モータと、を備える。
【００２４】
上記ディテクタは、上記コンピュータ断層撮影時、水平状態に位置して、上記伸縮部が回転されることによって上記放射線放出部で放出される映像を得る。
【００２５】
上記ディテクタは、上記コンピュータ断層撮影時、撮影しようとする位置に垂直移動して放射線を検出して所望の部分の映像を得る。
【００２６】
上記ディテクタは、上記セファロ撮影時、上記放射線放出部で放出される放射線を上記スライドバーに沿って移送される上記昇降体のように垂直移送されながら、上記ディテクタの検出領域に該当する領域ほどを検出して、上記ディテクタの検出領域に該当する領域ほど垂直移動をして被撮影者の頭部全体映像を得る。
【００２７】
上記ディテクタは、上記パノラマ撮影時、垂直状態に回転されて位置して、上記伸縮部が回転されることによって上記放射線放出部で放出される放射線をディテクタの一部行のみを用いて検出する。
【００２８】
以下、添付図面を参照して本発明に係る歯科用複合撮影装置を詳細に説明する。
【００２９】
本発明を説明するにあたって、各構成要素の名称は、本発明における機能を考慮して定義されたものであって、本発明の技術的構成要素を限定する意味で理解されてはならず、定義された各々の名称は当業界で他の名称で呼ばれることができる。また、各々の構成要素に付加された符号は、説明の便宜のために記載されたものであって、これらの符号が記載された図面上の図示内容が各々の構成要素を図面内の範囲に限定しない。また、これらの機能的類似性及び同一性があれば、変形された実施例を採用しても均等な構成であるとみることができ、図面上の構成を一部変形した実施例が採用されても機能的類似性及び同一性があれば、均等な構成であるとみることができる。
【００３０】
まず、添付した図面を参照して本発明に係る歯科用複合撮影装置を簡略に説明する。
【００３１】
図１は、本発明に係る歯科用複合撮影装置を示した斜視図である。
【００３２】
図示した通り、本発明に係る歯科用複合撮影装置(１００)は、地面に安着するベース(１１０)と、ベース(１１０)の上側に設けられて被撮影者(未図示)が撮影を待機する椅子部(１２０)と、椅子部(１２０)に隣接してベース(１１０)に設けられる柱(１３０)と、柱(１３０)の上部から被撮影者側に延ばされる支持部(１４０)と、支持部(１４０)の下部に回転可能に結合され、長さ方向に伸縮可能に設けられる伸縮部(１５０)と、伸縮部(１５０)の一側下部に設けられ、伸縮部(１５０)の伸縮に伴って移動され、コンピュータ断層撮影、セファロ撮影、パノラマ撮影に伴って選択される放射線を放出する放射線放出部(１６０)と、伸縮部(１５０)の他側に放射線放出部(１６０)に対向される方向に設けられて放射線放出部(１６０)でコンピュータ断層撮影、セファロ撮影、パノラマ撮影に伴って選択的に放出される放射線を各々検出する放射線検出部(１７０)を備えて、各構成部の作動と、放射線検出部(１７０)で検出される撮影情報を読み取る制御部(未図示)と、を備える。
【００３３】
上記ベース(１１０)は、椅子部(１２０)と支持部(１４０)が一定の間隔を維持して固定されるためのものであって、別途の板形態で形成されることができる。然しながら、必要に応じて椅子部(１２０)と支持部(１４０)が建物の底に設けられてもよい。また、椅子部(１２０)と支持部(１４０)が各々分離されて椅子部(１２０)は建物の底面に設けられて支持部(１４０)は建物の壁面に各々設けられてもよい。
【００３４】
上記椅子部(１２０)は、コンピュータ断層撮影、セファロ撮影、パノラマ撮影を実施する被撮影者が安着するためのものであって、被撮影者が着席する椅子(１２２)と被撮影者の身体条件に応じて椅子部(１２０)の高さを調節する乗降装置(１２４)が設けられる。乗降装置(１２４)は、電気的制御が可能なモータ及び乗降装置で設けられることができ、このような乗降装置(１２４)は制御部(未図示)により制御されるように設けられるのが望ましい。
【００３５】
一方、椅子部(１２０)の背もたれの上段には撮影を遂行する被撮影者の後頭部を支持する支え部(未図示)を備えることができる。また、支え部は、椅子(１２２)の背もたれ部に設けられることができるが、後述する支持部(１４０)の回転中心の下部に支持部(１４０)に対して回転されて被撮影者の頭部を固定するように設けられることができる。このような、支え部は多様な実施例により変更されることができ、詳細な説明は省略する。
【００３６】
上記柱(１３０)は、ベースの一側に固定されて支持部(１４０)を支持するためのものであって、支持部(１４０)を椅子部(１２０)に着席した被撮影者の頭部の高さに対応されるように支持する。また、このような柱(１３０)には柱の上段に支持される支持部(１４０)の高さを調節するための別途の乗降装置(未図示)が設けられることができ、昇降装置により伸縮部(１５０)に設けられる放射線放出部(１６０)と、放射線検出部(１７０)を被撮影者の頭部の高さに対応される高さに位置させることができる。
【００３７】
上記支持部(１４０)は、一端が柱(１３０)の上段に支持されて伸縮部(１５０)を支持すると共に伸縮部(１５０)を軌跡を原形に回転させたり楕円形状に回転させるためのものである。
【００３８】
以下、添付した図２を参照して支持部(１４０)を詳細に説明する。図２は、本発明に係る歯科用複合撮影装置(１００)の支持部(１４０)を示した斜視図である。
【００３９】
図２に示したように、本発明に係る歯科用複合撮影装置(１００)の支持部(１４０)は、外形を形成して、下面に伸縮部(１５０)が連結されるための長孔(１４１)が形成される支持部ハウジング(１４０ａ)と、支持部ハウジング(１４０ａ)の内側に設けられて伸縮部(１５０)を回転及び直線移動させる伸縮部駆動部(１４２)と、を備える。
【００４０】
ここで、伸縮部駆動部(１４２)は、伸縮部(１５０)を回転させると共に伸縮部(１５０)の回転中心を直線方向に移動させて伸縮部(１５０)の両端に設けられる放射線放出部(１６０)と放射線検出部(１７０)により形成される軌跡の形状が原形または楕円形で形成されるようにする。
【００４１】
このような伸縮部駆動部(１４２)は、伸縮部(１５０)の回転中心が結合されて伸縮部(１５０)を回転させる移送ボディ(１４３)と、移送ボディ(１４３)の一側に結合されて移送ボディの移動経路を案内するガイド(１４６)と、移送ボディ(１４３)の他側に結合されてガイド(１４６)に案内される移送ボディ(１４３)を移送させる移送部(１４７)と、を備える。ここで、移送ボディ(１４３)には、伸縮部(１５０)を回転させるための回転モータ(１４４)と、回転モータ(１４４)の動力を伸縮部(１５０)の回転軸(未図示)に伝達するためのベルト及びプーリなどの動力伝達装置(１４５)と、が設けられ、移送部(１４７)は、移送ボディ(１４３)が移送可能に結合される水平ボールスクリュー(１４８)及び水平ボールスクリュー(１４８)に回転力を付与する水平移送駆動モータ(１４９)を備える。
【００４２】
また、回転モータ(１４４)の作動により伸縮部(１５０)が回転されながら放射線放出部(１６０)と、放射線検出部(１７０)が原形の軌跡を形成して、移送部(１４７)の作動により移送ボディ(１４３)が直線往復移送されながら放射線放出部(１６０)と、放射線検出部(１７０)が楕円形の軌跡を形成しながら回転される。
【００４３】
上記伸縮部(１５０)は、支持部の伸縮部駆動部(１４２)に連結されて回転されると共にコンピュータ断層撮影及びパノラマ撮影時には放射線放出部(１６０)と放射線検出部(１７０)間の距離を縮小させ、セファロ撮影時には放射線放出部(１６０)と放射線検出部(１７０)間の距離を拡大させるためのものである。
【００４４】
以下、添付した図３を参照して伸縮部(１５０)を詳細に説明する。図３は、本発明に係る歯科用複合撮影装置の伸縮部を示した斜視図である。
【００４５】
図３に示したように、本発明に係る歯科用複合撮影装置(１００)の伸縮部(１５０)は、支持部(１４０)の伸縮部駆動部(１４２)の回転中心に結合され、その下部に放射線検出部(１７０)が設けられる固定端(１５２)と、固定端(１５２)に対してスライド移動可能に設けられ、その下部に放射線放出部(１６０)が設けられる伸縮端(１５４)が設けられ、固定端(１５２)の内側両面と、伸縮端(１５４)の外側両面に設けられて伸縮端(１５４)の伸縮経路を案内するガイドバー(１５６)が設けられる。
【００４６】
ここで、固定端(１５２)は、所定の長さを有して内部に空間が形成されるケースタイプ形状で形成され、上部中央部は、支持部(１４０)に形成された長孔(１４１)を貫通して支持部(１４０)の伸縮部駆動部(１４２)に結合される回転軸(未図示)が設けられる。
【００４７】
また、固定端(１５２)の内側両面に設けられるガイドバー(１５６)は、各々一対のＬＭガイドが対向されるように結合されて設けられるものであって、固定端(１５２)の内側両面には各ＬＭガイドが結合されるレールが形成され、伸縮端(１５４)の外側両面にも各ＬＭガイドが結合されるレールが形成される。従って、固定端(１５２)に対して伸縮される伸縮端(１５４)の長さの変化は固定端(１５２)の長さに対して約３倍程度の長さに増えることができる。然しながら、ここで固定端(１５２)と伸縮端(１５４)の長さの変化を限定するのではなく、固定端(１５２)と伸縮端(１５４)間の長さは必要に応じて調節されることができる。
【００４８】
上記放射線放出部(１６０)は、コンピュータ断層撮影、セファロ撮影、パノラマ撮影を遂行する時、コンピュータ断層撮影、セファロ撮影、パノラマ撮影に必要な放射線を選択的に放出するためのものである。
【００４９】
以下、添付した図４を参考して放射線放出部(１６０)を詳細に説明する。図４は、本発明に係る歯科用複合撮影装置で放射線発生部を示した斜視図である。
【００５０】
図４に示したように、本発明に係る歯科用複合撮影装置(１００)の放射線放出部(１６０)は、反射線を発生する放射線ソース(１６１)と、放射線ソース(１６１)で発生される放射線をコンピュータ断層撮影、セファロ撮影、パノラマ撮影に伴って選択的に放射線の断面積を変化させて放出する放射線シャッタ(１６２)と、を備える。
【００５１】
ここで、放射線ソース(１６１)は、ジェネレータ(Generator)と、高電圧供給装置(High Voltage System)と、冷却装置(Cooling System)などを含む。このような、放射線ソース(１６１)を構成する各構成部は公知の技術であるため、詳細な説明は省略する。
【００５２】
また、放射線シャッタ(１６２)は、放射線ソース(１６１)の放射線放出部(未図示)に設けられて放出される放射線の断面積を変化させて放出するものであって、放射線の漏れを防止するために鉛(Pb)材質で形成され、多数の放射線放出スリットが形成されるシャッタ本体(１６３)と、シャッタ本体(１６３)の両側にスライド移動可能に結合されてシャッタ本体(１６３)を垂直方向にスライド移動させる一対の垂直ガイド(１６７)と、を備える。
【００５３】
ここで、シャッタ本体(１６３)には、コンピュータ断層撮影時、コンピュータ断層撮影に必要な放射線を放出するコンピュータ断層撮影用スリット(１６４)と、セファロ撮影時、セファロ撮影に必要な放射線を放出するセファロ撮影用スリット(１６５)と、パノラマ撮影時、パノラマ撮影に必用な放射線を放出するパノラマ撮影用スリット(１６６)と、が形成される。
【００５４】
一方、各スリット(１６４、１６５、１６６)の形状は必要に応じて修正されて形成されることができるが、概略的にコンピュータ断層撮影用スリット(１６４)は水平方向の長孔で形成され、セファロ撮影用スリット(１６５)は垂直方向に長さを有する矩形形状で形成され、パノラマ撮影用スリット(１６６)は垂直方向の長孔で形成される。
【００５５】
上記放射線検出部(１７０)は、コンピュータ断層撮影、セファロ撮影、パノラマ撮影時、放射線放出部(１６０)から選択的に放出される放射線をコンピュータ断層撮影、セファロ撮影、パノラマ撮影に伴って選択的に検出するためのものである。
【００５６】
以下、添付した図５を参照して放射線検出部(１７０)を詳細に説明する。図５は、本発明に係る歯科用複合撮影装置で検出部を示した斜視図である。
【００５７】
図５に示したように、本発明に係る歯科用複合撮影装置(１００)の放射線検出部(１７０)は、伸縮部(１５０)の固定端(１５２)の下部で延ばされるスライドバー(１７１)と、上記スライドバー(１７１)にスライド移動可能に設けられる昇降体(１７２)と、スライドバー(１７１)と昇降体(１７２)間に設けられて昇降体(１７２)をスライドバー(１７１)に沿って垂直移送させる昇降部(１７３)と、昇降体(１７２)の一面(放射線放出部(１６０)に対向される一面)に回転可能に設けられるディテクタ(１７６)と、を備える。
【００５８】
ここで、昇降部(１７３)は、スライドバー(１７１)にスライド移動可能に結合される昇降体(１７２)をスライドバー(１７１)に沿って移動させるためのものであって、スライドバー(１７１)に並んで設けられる垂直ボールスクリュー(１７４)と、垂直ボールスクリュー(１７４)に動力を伝達するための垂直移送駆動モータ(１７５)と、を備える。
【００５９】
また、ディテクタ(１７６)は、昇降体(１７２)の一面に設けられるブラケット(１７７)に回動可能に設けられ、ブラケット(１７７)の対向面にはディテクタ(１７６)を回動させるための回動モータ(１７８)がさらに設けられる。このような、ディテクタ(１７６)は矩形態の長方形に設けられ、コンピュータ断層撮影及びセファロ撮影時には水平状態を維持して、パノラマ撮影時には垂直状態に回動される。
【００６０】
ここで、ディテクタ(１７６)は、放射線が入射されることによってイオン化、放出、化学変化、発熱、飛跡の形成、感光などの現状を用いて放射線を感知するものであって、検出される放射線の量をデジタル化することができる配列型(array)Ｘ線感知素子を使用する。このような、放射線検出器の配列型(array)Ｘ線感知素子は公知の技術であるため、詳細な説明は省略する。
【００６１】
これに伴い、本発明に係る歯科用複合撮影装置の作動を実施例を介して詳細に説明する。以下で言及される各々の要素は上述した説明と図面を参照して理解すべきである。
【００６２】
ここで、本発明に係る歯科用複合撮影装置は、簡単な操作によりコンピュータ断層撮影、セファロ撮影、パノラマ撮影を実施することができるように設けられる。ここに、各々の撮影を一例として各撮影方法を詳細に説明する。
【００６３】
まず、本発明に係る歯科用複合撮影装置を用いてコンピュータ断層撮影を実施する場合を添付した図面を参照して詳細に説明する。
【００６４】
図６ないし図１０は、本発明に係る歯科用複合撮影装置のコンピュータ断層撮影時の状態を示した作動状態図である。
【００６５】
ここで、図６は、コンピュータ断層撮影を実施する場合、歯科用複合撮影装置の設置状態を示したものであって、図７は、コンピュータ断層撮影を実施する場合、歯科用複合撮影装置の放射線発生部の設置状態を示したものであって、図８は、コンピュータ断層撮影を実施する場合、歯科用複合撮影装置の放射線検出部の設置状態を示したものであって、図９及び図１０は、コンピュータ断層撮影を実施する場合、放射線発生部と放射線検出部の相互関係を示したものである。
【００６６】
図６に示したように、コンピュータ断層撮影の場合には歯科用複合撮影装置(１００)の伸縮部(１５０)が縮小されて放射線放出部(１６０)と、放射線検出部(１７０)がコンピュータ断層撮影のための長さに縮小された状態を維持する。このとき、被撮影者の頭部は椅子部(１２０)を操作して放射線放出部(１６０)と放射線検出部(１７０)の中央部に位置するようにする。
【００６７】
一方、放射線放出部(１６０)の放射線シャッタ(１６２)は、シャッタ本体(１６３)が垂直ガイド(１６７)に沿って移動してコンピュータ断層撮影のためのコンピュータ断層撮影用スリット(１６４)を介して放射線が放出されるように位置する。(図７ご参照)
また、放射線検出部(１７０)のディテクタ(１７６)は水平状態に位置して、ディテクタ(１７６)の結合された昇降体(１７２)は、昇降部(１７３)の垂直ボールスクリュー(１７４)と垂直移送駆動モータ(１７５)により撮影しようとする位置に垂直移送して所望の部位が放射線領域に入るように位置する。(図８ないし図９ご参照)
以後、支持部(１４０)により回転可能に支持された伸縮部(１５０)が被撮影者の頭部を中心に伸縮部駆動部(１４２)により回転される。このとき、伸縮部駆動部(１４２)の移送ボディ(１４３)は、水平方向への移動が固定され、回転モータ(１４４)により伸縮部(１５０)が回転されながら、原形の軌跡を形成して３６０°回転される。(図１０ご参照)
また、伸縮部(１５０)が回転されることによって放射線放出部(１６０)に設けられた放射線シャッタ(１６２)のコンピュータ断層撮影用スリット(１６４)で放射線が放出され、放出された放射線は、被撮影者の頭部を通過して放射線検出部(１７０)のディテクタにより検出される。一方、放射線検出部(１７０)のディテクタで検出されるデータは、制御部(未図示)に読み取られて別途のディスプレー装置(未図示)を介して出力される。
【００６８】
以下、本発明に係る歯科用複合撮影装置を用いてセファロ撮影を実施する場合を添付した図面を参照して詳細に説明する。
【００６９】
図１１ないし図１４は、本発明に係る歯科用複合撮影装置のセファロ撮影時の状態を示した作動状態図である。
【００７０】
ここで、図１１は、セファロ撮影を実施する場合、歯科用複合撮影装置の設置状態を示したものであって、図１２は、セファロ撮影を実施する場合、歯科用複合撮影装置の放射線発生部の設置状態を示したものであって、図１３は、セファロ撮影を実施する場合、歯科用複合撮影装置の放射線検出部の作動状態を示したものであって、図１４は、セファロ撮影を実施する場合、放射線発生部と放射線検出部の相互関係を示したものである。
【００７１】
図１１に示したように、セファロ撮影の場合には歯科用複合撮影装置(１００)の伸縮部(１５０)が延ばされながら放射線放出部(１６０)と放射線検出部(１７０)がセファロ撮影のための隔離距離(ここで、隔離距離は放射線放出部(１６０)のセファロ撮影用スリット(１６５)と、放射線検出部(１７０)のディテクタ(１７６)表面の長さが１６４９ｍｍで形成されることができる)で広くなる。このとき、被撮影者の頭部は頭部は、椅子部(１２０)を操作して放射線検出部(１７０)のディテクタ(１７６)に近接して位置するようにする。
【００７２】
一方、放射線放出部(１６０)の放射線シャッタ(１６２)は、シャッタ本体(１６３)が垂直ガイド(１６７)に沿って移動してセファロ撮影のためのセファロ撮影用スリット(１６５)を介して放射線が放出されるように位置する。(図１２ご参照)
また、放射線検出部(１７０)のディテクタ(１７６)は水平状態に位置して、ディテクタ(１７６)の結合された昇降体(１７２)は、昇降部(１７３)の垂直ボールスクリュー(１７４)と垂直移送駆動モータ(１７５)により垂直移送されて撮影領域のもっとも下側から上側(または上側から下側)に放出部(１６０)のセファロ撮影用スリット(１６５)と同期を合わせて移送されて撮影をする。(図１３ご参照)
また、放射線放出部(１６０)に設けられた放射線シャッタ(１６２)のセファロ撮影用スリット(１６５)で放射線が放出され、放出された放射線は被撮影者の頭部を通過して放射線検出部(１７０)側に放出される。同時に、放射線検出部(１７０)の昇降体(１７２)が昇降部(１７３)の垂直ボールスクリュー(１７４)と垂直移送駆動モータ(１７５)により垂直上方向(または下方向)に移動される。
【００７３】
また、ディテクタ(１７６)は、ディテクタ(１７６)に検出領域に該当する領域ほどを検出して、ディテクタ(１７６)の検出領域に該当する領域ほど垂直移動をし、これを反復的に遂行して被撮影者の頭部を通過した放射線を検出する。
【００７４】
一方、放射線検出部(１７０)のディテクタ(１７６)で検出されるデータは、制御部(未図示)に読み取られて別途のディスプレー装置(未図示)を介して出力される。
【００７５】
以下、本発明に係る歯科用複合撮影装置を用いてパノラマ撮影を実施する場合を添付した図面を参照して詳細に説明する。
【００７６】
図１５ないし図１９は、本発明に係る歯科用複合撮影装置のパノラマ撮影時の状態を示した作動状態図である。
【００７７】
ここで、図１５は、パノラマ撮影を実施する場合、歯科用複合撮影装置の設置状態を示したものであって、図１６は、パノラマ撮影を実施する場合、歯科用複合撮影装置の放射線発生部の設置状態を示したものであって、図１７は、パノラマ撮影を実施する場合、歯科用複合撮影装置の放射線検出部の作動状態を示したものであって、図１８及び１９は、パノラマ撮影を実施する場合、放射線発生部と放射線検出部の相互関係を示したものである。
【００７８】
図１５に示したように、パノラマ撮影の場合には、歯科用複合撮影装置(１００)の伸縮部(１５０)が縮小されて放射線放出部(１６０)と、放射線検出部(１７０)がパノラマ撮影のための長さで縮小された状態を維持する。このとき、被撮影者の頭部は、椅子部(１２０)を操作して放射線検出部(１７０)のディテクタ(１７６)に近接して位置するようにする。
【００７９】
一方、放射線放出部(１６０)の放射線シャッタ(１６２)は、シャッタ本体(１６３)が垂直ガイド(１６７)に沿って移動されてパノラマ撮影のためのパノラマ撮影用スリット(１６６)を介して放射線が放出されるように位置する。(図１６ご参照)
また、放射線検出部(１７０)のディテクタ(１７６)は、回動モータ(１７８)により回動されて垂直方向に回動された状態に位置して、ディテクタ(１７６)の結合された昇降体(１７２)は、昇降部(１７３)の垂直ボールスクリュー(１７４)と垂直移送駆動モータ(１７５)により垂直移送されながら、ディテクタ(１７６)の下段と放射線放出部(１６０)で放出される放射線の下段部が一致するように位置する。(図１７ないし図１８ご参照)
以後、支持部(１４０)により回転可能に支持された伸縮部(１５０)が被撮影者の頭部を中心に伸縮部駆動部(１４２)により回転される。
【００８０】
このとき、伸縮部駆動部(１４２)の移送ボディ(１４３)は、水平ボールスクリュー(１４８)と水平移送駆動モータ(１４９)によりガイド(１４６)に沿って水平往復移送されながら、移送ボディ(１４３)に設けられた回転モータ(１４４)により伸縮部(１５０)が回転されながら、楕円原形の軌跡を形成しながら回転される。このとき、形成される楕円は、被撮影者の頭部の断面形状に沿って形成されるものであって、ディテクタ(１７６)が被撮影者の頭部側面に沿って隣接した状態に回転されることによって形成されるものである。(図１９ご参照)
また、伸縮部(１５０)が回転されることによって放射線放出部(１６０)に設けられた放射線シャッタ(１６２)のパノラマ撮影用スリット(１６６)で放射線が放出され、放出された放射線は、被撮影者の頭部を通過して放射線検出部(１７０)のディテクタにより検出される。一方、放射線検出部(１７０)のディテクタ(１７６)で検出されるデータは、制御部(未図示)に読み取られて別途のディスプレー装置(未図示)を介して出力される。
【００８１】
一方、パノラマ撮影時にはディテクタ(１７６)の一部領域のみを選択的に使用してデータを獲得するようにすることができる。これは一般的な２次元(長方形)ディテクタの場合、映像獲得フレーム速度が通常的に秒当たり３０フレーム以下で形成されるが、基本的にパノラマ映像を得るためには１次元線形(line)ディテクタを用いて撮影をすべきであるためである。
【００８２】
従って、長方形ディテクタ(１７６)の一部領域(望ましくは、縦方向の線形ディテクティング領域(１７６))を選択的に使用して選択されたディテクティング領域(１７６)で検出されるデータを高速に処理してパノラマ映像を取得することができる。また、選択されたディテクティング領域(１７６)で検出されるデータを高速処理するための別途の高速データ処理回路(未図示)が追加的に設けられることができる。
【００８３】
一方、上述したようなコンピュータ断層撮影、セファロ撮影、パノラマ撮影時には各々被撮影者の撮影位置が放射線検出部(１７０)の位置に応じて昇降されなければならず、これは椅子部(１２０)に設けられる乗降装置(１２４)により調節されることができる。
【００８４】
以上、考察した通り、本発明の望ましい実施例に対して詳細に記述したが、本発明の属する技術分野において通常の知識を有した者であれば、添付された請求範囲に定義された本発明の精神及び範囲を外れない限り、本発明を多様に変形して実施することができる。従って、本発明の今後の実施例の変更は本発明の技術を外れることができない。
【００８５】
例えば、本発明に係る歯科用複合撮影装置に他の付加的な機能を有した構成要素を追加したり、または他の構成要素に交替して実施することができる。然しながら、変形された他の実施例が本発明の必須構成要素を含むとすると、全て本発明の技術的範ちゅうに含まれるとみなすことができる。
【符号の説明】
【００８６】
１００  歯科用複合撮影装置
１１０  ベース
１２０  椅子部
１２２  椅子
１２４  乗降装置
１３０  柱
１４０  支持部
１４０ａ  支持部ハウジング
１４１  長孔
１４２  伸縮部駆動部
１４３  移送ボディ
１４４  回転モータ
１４５  動力伝達装置
１４６  ガイド
１４７  移送部
１４８  水平ボールスクリュー
１４９  水平移送駆動モータ
１５０  伸縮部
１５２  固定端
１５４  伸縮端
１５６  ガイドバー
１６０  放射線放出部
１６１  放射線ソース
１６２  放射線シャッタ
１６３  シャッタ本体
１６４  コンピュータ断層撮影用スリット
１６５  セファロ撮影用スリット
１６６  パノラマ撮影用スリット
１６７  垂直ガイド
１７０  放射線検出部
１７１  スライドバー
１７２  昇降体
１７３  昇降部
１７４  垂直ボールスクリュー
１７５  垂直移送駆動モータ
１７６  ディテクタ
１７７  ブラケット
１７８  回動モータ
【図１】
2010503510.tif 000003
【図２】
2010503510.tif 000004
【図３】
2010503510.tif 000005
【図４】
2010503510.tif 000006
【図５】
2010503510.tif 000007
【図６】
2010503510.tif 000008
【図７】
2010503510.tif 000009
【図８】
2010503510.tif 000010
【図９】
2010503510.tif 000011
【図１０】
2010503510.tif 000012
【図１１】
2010503510.tif 000013
【図１２】
2010503510.tif 000014
【図１３】
2010503510.tif 000015
【図１４】
2010503510.tif 000016
【図１５】
2010503510.tif 000017
【図１６】
2010503510.tif 000018
【図１７】
2010503510.tif 000019
【図１８】
2010503510.tif 000020
【図１９】
2010503510.tif 000021
【国際調査報告】
2010503510.tif 000022
2010503510.tif 000023